(57)【特許請求の範囲】
【請求項１】
電動送風機と、前記電動送風機に連通する集塵室を内包した本体と、前記本体の上部に回動自在に軸支され前記集塵室を開閉する蓋と、前記本体の上部に同じく回動自在に軸支され本体持ち運び用となる把手と、前記蓋に設けられた第１の係合部と、前記把手に設けられた第２の係合部とを備え、前記把手の回動と前記蓋の開閉動作を連動させ、前記把手を本体持ち運び時の略直立位置まで回動させた時、前記第１の係合部と第２の係合部とが当接しないようにすると共に、前記把手を本体持ち運び時の略直立位置よりも更に回動させた時、前記第１の係合部と第２の係合部とが当接して、前記蓋が開くようにした電気掃除機。
【発明の詳細な説明】
【０００１】
【発明の属する技術分野】
本発明は電気掃除機に関するもので、特にその外観の見栄え、使用性の向上及び金型加工費の削減に関するものである。
【０００２】
【従来の技術】
従来の電気掃除機を図８及び図９を用いて説明する。
【０００３】
本体１の内部に電動送風機２と、前記電動送風機２に連通する集塵室３が内包されている電気掃除機において、前記本体１の上部には、一端が軸支され前後方向に回動自在でかつ前記集塵室３を開閉自在に覆う蓋４を配し、前記蓋４の前方には前記蓋４を開ける為の把手部又は手穴５が設けられ、更に前記本体１の上部には一端が軸支され前後方向に回動自在であり前記本体１の上方まで回動させることで本体持ち運び用となる把手６を配し、前記蓋４と前記把手６は互いに独立して回動するような構成としていた。
【０００４】
【発明が解決しようとする課題】
このような従来の電気掃除機にあっては、集塵室３を覆う蓋４を開く為の把手部又は手穴５を前記蓋４の外観部に形成する必要があるため外観の見栄えを損ない、更に金型加工が複雑でありコストがかかるという問題があった。
【０００５】
また意匠上、指が入る程度の小さい把手部又は手穴しか形成できない為、使用性が悪かった。
【０００６】
本発明は、以上のような従来の課題を解決しようとするものであって、電気掃除機の外観の見栄え、使用性の向上及び金型加工費の削減を目的としている。
【０００７】
【課題を解決するための手段】
上記目的を達成するために本発明は、電動送風機と、前記電動送風機に連通する集塵室を内包した本体と、前記本体の上部に回動自在に軸支され前記集塵室を開閉する蓋と、前記本体の上部に同じく回動自在に軸支され本体持ち運び用となる把手と、前記蓋に設けられた第１の係合部と、前記把手に設けられた第２の係合部とを備え、前記把手の回動と前記蓋の開閉動作を連動させ、前記把手を本体持ち運び時の略直立位置まで回動させた時、前記第１の係合部と第２の係合部とが当接しないようにすると共に、前記把手を本体持ち運び時の略直立位置よりも更に回動させた時、前記第１の係合部と第２の係合部とが当接して、前記蓋が開くようにしたもので、本体持ち運び用の大きな把手を操作することにより前記蓋を開くことができるため使用性が向上し、更に前記蓋に開閉用の把手部又は手穴を設ける必要がなくなるので外観の見栄えの向上及び金型加工費の削減ができるものである。また、本体持ち運び時には前記蓋は開かず、前記把手を本体持ち運び時の略直立位置よりも更に回動させることで前記蓋を開くことができるため使用性が向上する。
【０００８】
【発明の実施の形態】
本発明の請求項１記載の発明は、電動送風機と、前記電動送風機に連通する集塵室を内包した本体と、前記本体の上部に回動自在に軸支され前記集塵室を開閉する蓋と、前記本体の上部に同じく回動自在に軸支され本体持ち運び用となる把手と、前記蓋に設けられた第１の係合部と、前記把手に設けられた第２の係合部とを備え、前記把手の回動と前記蓋の開閉動作を連動させ、前記把手を本体持ち運び時の略直立位置まで回動させた時、前記第１の係合部と第２の係合部とが当接しないようにすると共に、前記把手を本体持ち運び時の略直立位置よりも更に回動させた時、前記第１の係合部と第２の係合部とが当接して、前記蓋が開くようにしたもので、本体持ち運び用の大きな把手を操作することにより前記蓋を開くことができるため使用性が向上し、更に前記蓋に開閉用の把手部又は手穴を設ける必要がなくなるので外観の見栄えの向上及び金型加工費の削減ができる。また、本体持ち運び時には前記蓋は開かず、前記把手を本体持ち運び時の略直立位置よりも更に回動させることで前記蓋を開くことができるため使用性が向上する。
【０００９】
【実施例】
（実施例１）
以下本発明の第１及び第２の実施例を図１〜５を用いて説明する。
【００１０】
本体１の内部に電動送風機２と、前記電動送風機２に連通する集塵室３が内包されている電気掃除機において、前記本体１の上部に設けた回動軸１ａに一端が軸支され前後方向に回動自在でかつ前記集塵室３を開閉自在に覆う蓋４を配し、同回動軸１ａに一端が本体前後方向に回動自在に軸支された本体持ち運び用の把手６を配し、図３（Ａ）のように前記蓋４に第１の係合部７を設け、前記把手６に第２の係合部８を設け、図３（Ｂ）のように前記把手６を本体持ち運び時の略直立位置まで回動させた時、前記第１の係合部７と前記第２の係合部８とが当接しないようにし、図５のように前記把手６を本体持ち運び時の位置よりも更に回動させた時（図中では本体１の後方方向）、前記第１の係合部７と前記第２の係合部８が当接し前記蓋４が開くような構成にする。
【００１１】
上記構成による作用は以下の通りである。
【００１２】
本体持ち運び用の大きな把手６を操作することにより前記蓋４を開くことができるため使用性が向上し、更に前記蓋４に開閉用の把手部又は手穴を設ける必要がなくなるので外観の見栄えの向上及び金型加工費の削減ができる。
【００１３】
（実施例２）
以下本発明の第３の実施例を図６及び図７を用いて説明する。なお、上記第１の実施例と同一構成部品については同一符号を付して、その説明を省略する。
【００１４】
図６（Ａ）の様に回動軸９に係合する把手６の軸受孔１０を長円形にし、前記把手６を用いて本体１を持ち運ぶ時には図７（Ａ）のように本体１の自重により前記把手６が上方に移動するようにし、本体１の持ち運び時に図７（Ｂ）のように第１の係合部７と第２の係合部８が当接しないようにする。
【００１５】
上記構成による作用は以下の通りである。
【００１６】
本体１持ち運び時には前記蓋４と前記把手６が当接しない為、本体１を持ち運ぶ際の本体１の前後の揺れにより誤って前記蓋４が開くことが無い。
【００１７】
【発明の効果】
本発明によれば、本体持ち運び用の把手の回動と集塵室を覆う蓋の開閉動作を連動させることで本体持ち運び用の大きな把手を操作することにより前記蓋を開くことができるようになるため使用性が向上し、更に前記蓋に開閉用の把手部又は手穴を設ける必要がなくなるので外観の見栄えの向上及び金型加工費の削減ができる。
【００１８】
また、把手を本体持ち運び時の略直立位置よりも更に前方又は後方に回動させた時、蓋が開くようにすることで本体持ち運び時には前記蓋は開かず、前記把手を本体持ち運び時の略直立位置よりも更に回動させることで前記蓋を開くことができるため使用性が向上する。
【図面の簡単な説明】
【図１】  本発明の第１の実施例を示す電気掃除機の平面図
【図２】  図１のＢ−Ｂ断面図
【図３】  （Ａ）図２のＣ部詳細図
（Ｂ）本体持ち運び時の様子を示す同詳細図
【図４】  （Ａ）図３（Ａ）のＤ矢視図
（Ｂ）図３（Ｂ）のＤ矢視図
【図５】  図２の蓋開放時の様子を示すＣ部詳細図
【図６】  （Ａ）本発明の第２の実施例を示す電気掃除機の要部断面図
（Ｂ）把手を本体持ち運び時の位置まで回動させた時の様子を示す同断面図
【図７】  （Ａ）図６の本体持ち運び時の様子を示す要部断面図
（Ｂ）本体前後揺れ時の様子を示す同断面図
【図８】  従来の電気掃除機の平面図
【図９】  図８のＡ−Ａ断面図
【符号の説明】
１  本体
１ａ  回動軸
２  電動送風機
３  集塵室
４  蓋
６  把手
７  第１の係合部
８  第２の係合部
９  回動軸
１０  軸受孔
【図１】
0003794147.tif 000002
【図２】
0003794147.tif 000003
【図３】
0003794147.tif 000004
【図４】
0003794147.tif 000005
【図５】
0003794147.tif 000006
【図６】
0003794147.tif 000007
【図７】
0003794147.tif 000008
【図８】
0003794147.tif 000009
【図９】
0003794147.tif 000010